(57)【特許請求の範囲】
【請求項１】
箱型のケースと、
前記ケースの内部に収容された、ブロワと、
前記ケースの内部に収容された、箱型の箱体と、
を備えた、ブロワユニットであって、
前記ケースは、ケース入口及びケース出口を有しており、
前記ブロワは、吸込口、吐出口、及び付属ファンを有しており、
前記箱体は、箱体入口及び箱体出口を有しており、
前記箱体出口は、前記ケース出口よりも上流側かつ上側に位置しており、
前記ケース出口は、前記ケースの底壁に形成されており、
前記箱体出口及び前記ケース出口は、それぞれ下側を向いており、
前記ブロワの前記吐出口からの排気は、ダクトを介して、前記箱体入口から前記箱体の内部に入って前記箱体出口から前記箱体の外へ下向きに出た後、下向きに流れながら、前記ケース出口から前記ケースの外へ出るようにされており、
前記付属ファンによって誘発される冷却用風は、前記ケース入口から前記ケースの内部に入った後、前記ブロワの表面上を流れ、その後、前記箱体から出る前記排気と同じ方向に流れながら前記箱体から出る前記排気と合流して、前記ケース出口から前記ケースの外へ出るようにされている、ブロワユニット。
【請求項２】
箱型のケースと、
前記ケースの内部に収容された、ブロワと、
前記ケースの内部に収容された、箱型の箱体と、
を備えた、ブロワユニットであって、
前記ケースは、ケース入口及びケース出口を有しており、
前記ブロワは、吸込口、吐出口、及び付属ファンを有しており、
前記箱体は、箱体入口及び箱体出口を有しており、
前記ブロワの前記吐出口からの排気は、ダクトを介して、前記箱体入口から前記箱体の内部に入って前記箱体出口から前記箱体の外へ出た後、前記ケース出口から前記ケースの外へ出るようにされており、
前記付属ファンによって誘発される冷却用風は、前記ケース入口から前記ケースの内部に入った後、前記ブロワの表面上を流れ、その後、前記箱体から出る前記排気と同じ方向に流れながら前記箱体から出る前記排気と合流して、前記ケース出口から前記ケースの外へ出るようにされており、
前記ケースの内部のブロワ収容室の内部において上段室と下段室との間を仕切る、横壁を、さらに備え、
前記ブロワユニットは、前記ブロワとして、上段ブロワ及び下段ブロワを備え、
前記上段ブロワは、前記上段室内に配置されており、
前記下段ブロワは、前記下段室内に配置されており、
前記横壁は、前記上段室と前記下段室とを連通する横壁穴を有しており、
前記下段ブロワの前記付属ファンによって誘発される冷却用風は、前記下段ブロワの表面上を流れた後、前記横壁穴を介して前記上段室内に入り、その後、前記上段ブロワの前記付属ファンによって誘発される冷却用風と合流して、前記上段室の外へ出て、その後、前記箱体から出る前記排気と同じ方向に流れながら前記箱体から出る前記排気と合流するようにされている、ブロワユニット。
【請求項３】
箱型のケースと、
前記ケースの内部に収容された、ブロワと、
前記ケースの内部に収容された、箱型の箱体と、
を備えた、ブロワユニットであって、
前記ケースは、ケース入口及びケース出口を有しており、
前記ブロワは、吸込口、吐出口、及び付属ファンを有しており、
前記箱体は、箱体入口及び箱体出口を有しており、
前記ブロワの前記吐出口からの排気は、ダクトを介して、前記箱体入口から前記箱体の内部に入って前記箱体出口から前記箱体の外へ出た後、前記ケース出口から前記ケースの外へ出るようにされており、
前記付属ファンによって誘発される冷却用風は、前記ケース入口から前記ケースの内部に入った後、前記ブロワの表面上を流れ、その後、前記箱体から出る前記排気と同じ方向に流れながら前記箱体から出る前記排気と合流して、前記ケース出口から前記ケースの外へ出るようにされており、
前記ケースの内部のブロワ収容室の内部において上段室と下段室との間を仕切る、横壁を、さらに備え、
前記ブロワユニットは、前記ブロワとして、上段ブロワ及び下段ブロワを備え、
前記上段ブロワは、前記上段室内に配置されており、
前記下段ブロワは、前記下段室内に配置されており、
前記箱体の内壁面には、吸音材が貼られており、
前記箱体は、前記箱体入口として、第１箱体入口及び第２箱体入口を有しており、
前記上段ブロワの前記吐出口からの排気は、第１ダクトを介して、前記第１箱体入口から前記箱体の内部に入るようにされており、
前記下段ブロワの前記吐出口からの排気は、第２ダクトを介して、前記第２箱体入口から前記箱体の内部に入るようにされており、
前記第１箱体入口の中心軸線と前記第２箱体入口の中心軸線とは、互いに垂直に延在しており、それにより、前記第１箱体入口から前記箱体の内部に入る排気と前記第２箱体入口から前記箱体の内部に入る排気とが、互いに垂直に流れながら合流するようにされている、ブロワユニット。
【請求項４】
箱型のケースと、
前記ケースの内部に収容された、ブロワと、
前記ケースの内部に収容された、箱型の箱体と、
を備えた、ブロワユニットであって、
前記ケースは、ケース入口及びケース出口を有しており、
前記ブロワは、吸込口、吐出口、及び付属ファンを有しており、
前記箱体は、箱体入口及び箱体出口を有しており、
前記ブロワの前記吐出口からの排気は、ダクトを介して、前記箱体入口から前記箱体の内部に入って前記箱体出口から前記箱体の外へ出た後、前記ケース出口から前記ケースの外へ出るようにされており、
前記付属ファンによって誘発される冷却用風は、前記ケース入口から前記ケースの内部に入った後、前記ブロワの表面上を流れ、その後、前記箱体から出る前記排気と同じ方向に流れながら前記箱体から出る前記排気と合流して、前記ケース出口から前記ケースの外へ出るようにされており、
前記ケースの内部においてブロワ収容室と排気室との間を仕切る、下流側縦壁を、さらに備え、
前記ブロワは、前記ブロワ収容室内に配置されており、
前記箱体は、前記排気室内に配置されており、
前記下流側縦壁は、前記ブロワ収容室と前記排気室とを連通する下流側縦壁穴を有しており、
前記付属ファンによって誘発される前記冷却用風は、前記ブロワ収容室内において前記ブロワの表面上を流れた後、前記下流側縦壁穴を介して前記排気室内に入り、その後、前記箱体から出る前記排気と同じ方向に流れながら前記箱体から出る前記排気と合流するようにされており、
前記箱体は、前記下流側縦壁に設けられている、ブロワユニット。
【請求項５】
箱型のケースと、
前記ケースの内部に収容された、ブロワと、
前記ケースの内部に収容された、箱型の箱体と、
を備えた、ブロワユニットであって、
前記ケースは、ケース入口及びケース出口を有しており、
前記ブロワは、吸込口、吐出口、及び付属ファンを有しており、
前記箱体は、箱体入口及び箱体出口を有しており、
前記ブロワの前記吐出口からの排気は、ダクトを介して、前記箱体入口から前記箱体の内部に入って前記箱体出口から前記箱体の外へ出た後、前記ケース出口から前記ケースの外へ出るようにされており、
前記付属ファンによって誘発される冷却用風は、前記ケース入口から前記ケースの内部に入った後、前記ブロワの表面上を流れ、その後、前記箱体から出る前記排気と同じ方向に流れながら前記箱体から出る前記排気と合流して、前記ケース出口から前記ケースの外へ出るようにされており、
前記ケースは、前壁と、後壁と、左右一対の側壁と、上壁と、底壁と、を有しており、
前記箱体は、前記ケースの前記前壁、前記後壁、前記一対の側壁、前記上壁、及び前記底壁とは別体に構成されている、ブロワユニット。
【請求項６】
前記箱体出口は、前記ケース出口よりも上流側に位置している、請求項２〜５のいずれか一項に記載のブロワユニット。
【請求項７】
前記ケース出口は、前記ケースの底壁に形成されており、
前記箱体出口は、前記ケース出口よりも上側に位置しており、
前記ブロワの前記吐出口からの排気は、ダクトを介して、前記箱体入口から前記箱体の内部に入って前記箱体出口から前記箱体の外へ下向きに出た後、下向きに流れながら、前記ケース出口から前記ケースの外へ出るようにされている、請求項２〜６のいずれか一項に記載のブロワユニット。
【請求項８】
前記箱体の内壁面には、吸音材が貼られている、請求項１〜７のいずれか一項に記載のブロワユニット。
【請求項９】
前記ケースの内部において制御機器室とブロワ収容室との間を仕切る、上流側縦壁と、
前記制御機器室内に配置され、前記ブロワを制御するように構成された、制御機器と、
をさらに備え、
前記ケース入口は、前記制御機器室に連通しており、
前記ブロワは、前記ブロワ収容室内に配置されており、
前記上流側縦壁は、前記制御機器室と前記ブロワ収容室とを連通する上流側縦壁穴を有しており、
前記付属ファンによって誘発される前記冷却用風は、前記ケース入口から前記制御機器室の内部に入った後、前記上流側縦壁穴を介して前記ブロワ収容室内に入って、前記ブロワの表面上を流れるようにされている、請求項１〜８のいずれか一項に記載のブロワユニット。
【請求項１０】
前記ケースの内部においてブロワ収容室と排気室との間を仕切る、下流側縦壁を、さらに備え、
前記ブロワは、前記ブロワ収容室内に配置されており、
前記箱体は、前記排気室内に配置されており、
前記下流側縦壁は、前記ブロワ収容室と前記排気室とを連通する下流側縦壁穴を有しており、
前記付属ファンによって誘発される前記冷却用風は、前記ブロワ収容室内において前記ブロワの表面上を流れた後、前記下流側縦壁穴を介して前記排気室内に入り、その後、前記箱体から出る前記排気と同じ方向に流れながら前記箱体から出る前記排気と合流するようにされている、請求項１〜３及び５のいずれか一項に記載のブロワユニット。
【請求項１１】
請求項３に記載のブロワユニットに用いられる、前記箱型の箱体であって、
前記第１箱体入口と、
前記第２箱体入口と、
前記箱体出口と、
前記箱体の内壁面に貼られた前記吸音材と、
を備え、
前記第１箱体入口の中心軸線と前記第２箱体入口の中心軸線とは、互いに垂直に延在しており、それにより、前記第１箱体入口から前記箱体の内部に入る排気と前記第２箱体入口から前記箱体の内部に入る排気とが、互いに垂直に流れながら合流するようにされている、箱体。
【発明の詳細な説明】
【技術分野】
【０００１】
本発明は、ブロワユニット及び箱体に関する。
【背景技術】
【０００２】
従来、ケースの内部にブロワを収容してなるブロワユニットがある（例えば、特許文献１）。特許文献１によれば、ブロワをケースの内部に収容することにより、騒音を低減できる、とされている。
【先行技術文献】
【特許文献】
【０００３】
【特許文献１】公開実用新案昭和５７−１７２１９４号公報
【発明の概要】
【発明が解決しようとする課題】
【０００４】
しかしながら、上述のような従来のブロワユニットでは、ブロワをケースの内部に収容することにより、ケースの内部が高温になりやすいという課題があった。
【０００５】
本発明は、ケースの内部を効率的に冷却できる、ブロワユニット及び箱体を、提供することを目的とする。
【課題を解決するための手段】
【０００６】
本発明のブロワユニットは、
箱型のケースと、
前記ケースの内部に収容された、ブロワと、
前記ケースの内部に収容された、箱型の箱体と、
を備えた、ブロワユニットであって、
前記ケースは、ケース入口及びケース出口を有しており、
前記ブロワは、吸込口、吐出口、及び付属ファンを有しており、
前記箱体は、箱体入口及び箱体出口を有しており、
前記ブロワの前記吐出口からの排気は、ダクトを介して、前記箱体入口から前記箱体の内部に入って前記箱体出口から前記箱体の外へ出た後、前記ケース出口から前記ケースの外へ出るようにされており、
前記付属ファンによって誘発される冷却用風は、前記ケース入口から前記ケースの内部に入った後、前記ブロワの表面上を流れ、その後、前記箱体から出る前記排気と同じ方向に流れながら前記箱体から出る前記排気と合流して、前記ケース出口から前記ケースの外へ出るようにされている。
【０００７】
本発明のブロワユニットにおいて、
前記箱体出口は、前記ケース出口よりも上流側に位置していると、好適である。
【０００８】
本発明のブロワユニットにおいて、
前記ケース出口は、前記ケースの底壁に形成されており、
前記箱体出口は、前記ケース出口よりも上側に位置しており、
前記ブロワの前記吐出口からの排気は、ダクトを介して、前記箱体入口から前記箱体の内部に入って前記箱体出口から前記箱体の外へ下向きに出た後、下向きに流れながら、前記ケース出口から前記ケースの外へ出るようにされていると、好適である。
【０００９】
本発明のブロワユニットにおいて、
前記箱体の内壁面には、吸音材が貼られていると、好適である。
【００１０】
本発明のブロワユニットにおいて、
前記ケースの内部において制御機器室とブロワ収容室との間を仕切る、上流側縦壁と、
前記制御機器室内に配置され、前記ブロワを制御するように構成された、制御機器と、
をさらに備え、
前記ケース入口は、前記制御機器室に連通しており、
前記ブロワは、前記ブロワ収容室内に配置されており、
前記上流側縦壁は、前記制御機器室と前記ブロワ収容室とを連通する上流側縦壁穴を有しており、
前記付属ファンによって誘発される前記冷却用風は、前記ケース入口から前記制御機器室の内部に入った後、前記上流側縦壁穴を介して前記ブロワ収容室内に入って、前記ブロワの表面上を流れるようにされていると、好適である。
【００１１】
本発明のブロワユニットにおいて、
前記ケースの内部においてブロワ収容室と排気室との間を仕切る、下流側縦壁を、さらに備え、
前記ブロワは、前記ブロワ収容室内に配置されており、
前記箱体は、前記排気室内に配置されており、
前記下流側縦壁は、前記ブロワ収容室と前記排気室とを連通する下流側縦壁穴を有しており、
前記付属ファンによって誘発される前記冷却用風は、前記ブロワ収容室内において前記ブロワの表面上を流れた後、前記下流側縦壁穴を介して前記排気室内に入り、その後、前記箱体から出る前記排気と同じ方向に流れながら前記箱体から出る前記排気と合流するようにされていると、好適である。
【００１２】
本発明のブロワユニットにおいて、
前記ケースの内部のブロワ収容室の内部において上段室と下段室との間を仕切る、横壁を、さらに備え、
前記ブロワユニットは、前記ブロワとして、上段ブロワ及び下段ブロワを備え、
前記上段ブロワは、前記上段室内に配置されており、
前記下段ブロワは、前記下段室内に配置されていると、好適である。
【００１３】
本発明のブロワユニットにおいて、
前記横壁は、前記上段室と前記下段室とを連通する横壁穴を有しており、
前記下段ブロワの前記付属ファンによって誘発される冷却用風は、前記下段ブロワの表面上を流れた後、前記横壁穴を介して前記上段室内に入り、その後、前記上段ブロワの前記付属ファンによって誘発される冷却用風と合流して、前記上段室の外へ出て、その後、前記箱体から出る前記排気と同じ方向に流れながら前記箱体から出る前記排気と合流するようにされていると、好適である。
【００１４】
本発明のブロワユニットにおいて、
前記箱体の内壁面には、吸音材が貼られており、
前記箱体は、前記箱体入口として、第１箱体入口及び第２箱体入口を有しており、
前記上段ブロワの前記吐出口からの排気は、第１ダクトを介して、前記第１箱体入口から前記箱体の内部に入るようにされており、
前記下段ブロワの前記吐出口からの排気は、第２ダクトを介して、前記第２箱体入口から前記箱体の内部に入るようにされており、
前記第１箱体入口の中心軸線と前記第２箱体入口の中心軸線とは、互いに垂直に延在しており、それにより、前記第１箱体入口から前記箱体の内部に入る排気と前記第２箱体入口から前記箱体の内部に入る排気とが、互いに垂直に流れながら合流するようにされていると、好適である。
【００１５】
本発明の箱体は、
上記のブロワユニットに用いられる、前記箱型の箱体であって、
前記第１箱体入口と、
前記第２箱体入口と、
前記箱体出口と、
前記箱体の内壁面に貼られた前記吸音材と、
を備え、
前記第１箱体入口の中心軸線と前記第２箱体入口の中心軸線とは、互いに垂直に延在しており、それにより、前記第１箱体入口から前記箱体の内部に入る排気と前記第２箱体入口から前記箱体の内部に入る排気とが、互いに垂直に流れながら合流するようにされている。
【発明の効果】
【００１６】
本発明によれば、ケースの内部を効率的に冷却できる、ブロワユニット及び箱体を、提供することができる。
【図面の簡単な説明】
【００１７】
【図１】本発明の一実施形態に係るブロワユニットの外観を、斜め前側から見た状態で示す、斜視図である。
【図２】図１のブロワユニットの外観を、斜め後側から見た状態で示す、斜視図である。
【図３】図１のブロワユニットを、内部構造とともに、前側から見た状態で示す、前面図である。
【図４】図１のブロワユニットを、内部構造とともに、右側から見た状態で示す、右側面図である。
【図５】図１のブロワユニットを、内部構造とともに、上側から見た状態で示す、上面図である。
【図６】図１のブロワユニットを、内部構造とともに、後側から見た状態で示す、後面図である。
【図７】図６の箱体の近傍部分を、斜め下側から見た状態で示す、要部拡大図である。
【図８】図６の箱体の箱体用カバーを、前側から見た状態で示す、要部拡大図である。
【図９】本発明の一変形例に係るブロワユニットを、内部構造とともに、右側から見た状態で示す、右側面図である。
【図１０】図９のブロワユニットを、内部構造とともに、後側から見た状態で示す、後面図である。
【発明を実施するための形態】
【００１８】
本発明のブロワユニットは、ブロワを用いる任意のシステムに利用できるものであり、ブロワを空気の吸引のために用いる任意のシステム（例えば、クリーンルーム等の部屋内の空気を部屋の外に排出するシステム、あるいは、工作機械等の装置内の空気を装置の外に排出するシステム）に特に好適に利用できるものである。
本発明の箱体は、第１ダクト及び第２ダクトを備えて第１ダクト及び第２ダクトのそれぞれから排気を生じるような、任意の装置に利用できるものであり、２つのブロワを備えたブロワユニットに特に好適に利用できるものである。
以下、本発明に係る、ブロワユニット及び箱体の実施形態について、図面を参照しながら例示説明する。
各図において共通する構成要素には同一の符号を付している。
【００１９】
図１〜図６は、本発明の一実施形態に係るブロワユニット１を示している。図１は、本発明の一実施形態に係るブロワユニット１の外観を、斜め前側から見た状態で示す、斜視図である。図２は、図１のブロワユニット１の外観を、斜め後側から見た状態で示す、斜視図である。図３は、図１のブロワユニット１を、内部構造とともに、前側から見た状態で示す、前面図である。図４は、図１のブロワユニットを、内部構造とともに、右側から見た状態で示す、右側面図である。図５は、図１のブロワユニットを、内部構造とともに、上側から見た状態で示す、上面図である。図６は、図１のブロワユニットを、内部構造とともに、後側から見た状態で示す、後面図である。
図１〜図６に示すように、ブロワユニット１は、ケース２と、１つ又は複数のブロワ３Ｕ、３Ｌと、箱体４と、を備えている。
【００２０】
ケース２は、箱型に構成されている。より具体的に、ケース２は、図１〜図６に示すように、前壁２３と、後壁２４と、左右一対の側壁２５と、上壁２６と、底壁２７と、を有している。
図３〜図６では、便宜のため、ケース２の内部の構造の一部を実線で示している。
なお、各図に矢印を示すように、本明細書においては、便宜のため、ケース２の内部から前壁２３を見たときの方向を「前」とした場合の「前」、「後」、「左」、「右」、「上」、「下」を、それぞれ、単に「前」、「後」、「左」、「右」、「上」、「下」という。
ケース２は、１つ又は複数（図の例では複数）のケース入口２１と、１つ又は複数（図の例では１つ）のケース出口２２と、を有している。ケース入口２１及びケース出口２２は、空気が通るために設けられている。
図１〜図６の例において、ケース入口２１は、側壁２５に形成されている。ケース入口２１は、側壁２５において前側に片寄って配置されている。ケース入口２１は、後述の制御機器室ＣＲに連通している（図４）。図の例では、各側壁２５にそれぞれ複数のケース入口２１が設けられているが、各側壁２５にそれぞれ１つのケース入口２１が設けられてもよいし、あるいは、いずれか一方のみの側壁２５に１つ又は複数のケース入口２１が設けられてもよい。
図１〜図６の例において、ケース出口２２は、底壁２７に形成されている。ケース出口２２は、底壁２７において後側に片寄って配置されている。ケース出口２２は、後述の排気室ＤＲに連通している（図４）。
ブロワユニット１は、脚部２８をさらに備えている。脚部２８は、底壁２７と床面との間を上下に延びており、それにより、底壁２７を床面よりも上側に位置させるように構成されている。これにより、底壁２７に形成されたケース出口２２が床面によって塞がれないようにされており、ひいては、ケース２の内部からケース出口２２を介してケース２の外に出た風が、下側へ流れることができるようにされている。脚部２８は、例えばキャスター等を含む。
ただし、ケース出口２２は、ケース２において後側に片寄って配置される限り、ケース２における任意の位置に形成されてよく、例えば、上壁２６、側壁２５、又は、後壁２４に形成されてもよい。その場合も、ケース出口２２は、排気室ＤＲに連通していると、好適である。
【００２１】
ブロワ３Ｕ、３Ｌ（図３〜図５）は、ケース２の内部に収容されている。図の例において、ブロワユニット１は、２つのブロワ３Ｕ、３Ｌを備えている。一方のブロワ３Ｕは、上段ブロワ３Ｕであり、他方のブロワ３Ｌは、下段ブロワ３Ｌである。ただし、ブロワユニット１は、ブロワ３Ｕ、３Ｌを、１つのみ、あるいは、３つ以上、備えてもよい。
図３〜図５に示すように、各ブロワ３Ｕ、３Ｌは、それぞれ、吸込口３Ｕ１、３Ｌ１、吐出口３Ｕ２、３Ｌ２、及び、付属ファン３Ｕ３、３Ｌ３を、有している。
ブロワ３Ｕ、３Ｌは、稼働する間、吸込口３Ｕ１、３Ｌ１から空気を吸って、吐出口３Ｕ２、３Ｌ２から空気を吐き出すように、構成されている。また、ブロワ３Ｕ、３Ｌは、稼働する間、付属ファン３Ｕ３、３Ｌ３を駆動するように構成されている。
付属ファン３Ｕ３、３Ｌ３は、付属ファン３Ｕ３、３Ｌ３によって誘発される冷却用風（各図の白抜き矢印）がブロワ３Ｕ、３Ｌの表面上を流れることによって、ブロワ３Ｕ、３Ｌを冷却するように構成されている。
ブロワ３Ｕ、３Ｌは、発熱や騒音が大きくなる傾向がある。騒音としては、ブロワ３Ｕ、３Ｌ自体から発生する騒音と、ブロワ３Ｕ、３Ｌからの排気から発生する騒音と、がある。
【００２２】
ブロワ３Ｕ、３Ｌには、ダクト５１、５２が接続されている。上段ブロワ３Ｕには、第１ダクト（ダクト）５１が接続されている。下段ブロワ３Ｌには、第２ダクト（ダクト）５２が接続されている。第１ダクト５１及び第２ダクト５２は、それぞれ、吸込側ダクト５１１、５２１と吐出側ダクト５１２、５２２とを有している。
各ブロワ３Ｕ、３Ｌの吸込口３Ｕ１、３Ｌ１には、それぞれ対応する吸込側ダクト５１１、５２１が接続されている（図３〜図４）。各吸込側ダクト５１１、５２１の流入口５１１ａ、５２１ａ（図１）は、ケース２の外に配置されている。図の例において、各吸込側ダクト５１１、５２１は、ケース２の前壁２３を貫通しており、各吸込側ダクト５１１、５２１の流入口５１１ａ、５２１ａは、前壁２３よりも前側に位置している。ただし、各吸込側ダクト５１１、５２１の流入口５１１ａ、５２１ａは、ケース２の外に配置されている限り、任意の位置に配置されてよい。
各吸込側ダクト５１１、５２１の流入口５１１ａ、５２１ａは、例えばホース（図示せず）を介す等して、ブロワを空気の吸引のために用いる任意のシステム（例えば、クリーンルーム等の部屋内の空気を部屋の外に排出するシステム、あるいは、工作機械等の装置内の空気を装置の外に排出するシステム）における、部屋又は装置等に連結され、当該部屋又は装置等から空気を吸引するようにされる。
各吸込側ダクト５１１、５２１の流出口５１１ｂ、５２１ｂは、それぞれ、対応するブロワ３Ｕ、３Ｌの吸込口３Ｕ１、３Ｌ１に接続されている（図３〜図４）。
各ブロワ３Ｕ、３Ｌの吐出口３Ｕ２、３Ｌ２には、それぞれ対応する吐出側ダクト５１２、５２２が接続されている（図３、図５〜図６）。各吐出側ダクト５１２、５２２の流入口５１２ａ、５２２ａ（図３）は、それぞれ対応するブロワ３Ｕ、３Ｌの吐出口３Ｕ２、３Ｌ２に接続されている。各吐出側ダクト５１２、５２２の流出口５１２ｂ、５２２ｂ（図６）は、箱体４に接続されている。
ダクト５１、５２には、サイレンサーが設けられると、騒音低減が可能であるので、好適である。
【００２３】
図７は、図６の箱体４の近傍部分を、斜め下側から見た状態で示す、要部拡大図である。図８は、図６の箱体４の箱体用カバー４１（後述）を、前側から見た状態で示す、要部拡大図である。
箱体４は、ケース２の内部に収容されている。箱体４は、箱型に構成されている。箱体４は、図６〜図８に示すように、１つ又は複数（図の例では２つ）の箱体入口４３１、４３２と、１つの箱体出口４４と、を有している。
図の例において、箱体４は、箱体入口４３１、４３２として、第１箱体入口４３１と、第２箱体入口４３２と、を有している。
ダクト５１、５２の吐出側ダクト５１２、５２２の流出口５１２ｂ、５２２ｂ（図６）は、箱体４の箱体入口４３１、４３２に接続されている。具体的に、第１ダクト５１の吐出側ダクト５１２の流出口５１２ｂは、箱体４の第１箱体入口４３１に接続されており、第２ダクト５２の吐出側ダクト５２２の流出口５２２ｂは、箱体４の第２箱体入口４３２に接続されている。
【００２４】
ここで、本実施形態のブロワユニット１の動作について説明する。
図１及び図３〜図５において黒矢印で示すように、ダクト５１、５２の吸込側ダクト５１１、５２１の流入口５１１ａ、５２１ａに入った空気は、ダクト５１、５２の吸込側ダクト５１１、５２１を通った後、ブロワ３Ｕ、３Ｌの吸込口３Ｕ１、３Ｌ１に入る。具体的に、第１ダクト５１の吸込側ダクト５１１の流入口５１１ａに入った空気は、吸込側ダクト５１１を通った後、上段ブロワ３Ｕの吸込口３Ｕ１に入る。一方、第２ダクト５２の吸込側ダクト５２１の流入口５２１ａに入った空気は、吸込側ダクト５２１を通った後、下段ブロワ３Ｌの吸込口３Ｌ１に入る。
また、図５〜図８において黒矢印で示すように、ブロワ３Ｕ、３Ｌの吐出口３Ｕ２、３Ｌ２（図３）からの排気は、ダクト５１、５２の吐出側ダクト５１２、５２２を介して、箱体入口４３１、４３２から箱体４の内部に入る。具体的に、上段ブロワ３Ｕの吐出口３Ｕ２からの排気は、第１ダクト５１の吐出側ダクト５１２を介して、第１箱体入口４３１から箱体４の内部に入る。一方、下段ブロワ３Ｌの吐出口３Ｌ２からの排気は、第２ダクト５２の吐出側ダクト５２２を介して、第２箱体入口４３２から箱体４の内部に入る。
図４〜図８において黒矢印で示すように、箱体４の内部に入った各排気は、箱体出口４４から箱体４の外へ出た後、ケース出口２２からケース２の外へ出る。
一方、図１〜図６において白抜き矢印で示すように、ブロワ３Ｕ、３Ｌの付属ファン３Ｕ３、３Ｌ３によって誘発される冷却用風は、ケース入口２１からケース２の内部に入った後、ブロワ３Ｕ、３Ｌの表面上を流れ、その後、箱体４から出る排気（各図の黒矢印）と同じ方向に流れながら箱体４から出る排気と合流して、ケース出口２２からケース２の外へ出る。
【００２５】
つぎに、本実施形態のブロワユニット１の効果について説明する。
まず、本実施形態によれば、上述のように、ブロワ３Ｕ、３Ｌがケース２の内部に収容されている。これにより、ブロワ３Ｕ、３Ｌ自体やブロワ３Ｕ、３Ｌからの排気によって生じる騒音を低減できる。
また、本実施形態によれば、上述のように、箱体４がケース２の内部に収容されており、ブロワ３Ｕ、３Ｌの吐出口３Ｕ２、３Ｌ２からの排気は、ダクト５１、５２を介して、箱体入口４３１、４３２から箱体４の内部に入って箱体出口４４から箱体４の外へ出た後、ケース出口２２からケース２の外へ出るようにされている。これにより、ブロワ３Ｕ、３Ｌの吐出口３Ｕ２、３Ｌ２からの排気を、直接ケース２内に排出するのではなく、いったん箱体４内に排出するようにしているので、仮に箱体４を設けない場合に比べて、ケース２に排気が強く当たるのを抑制でき、ひいては、騒音や振動を低減できる。
また、本実施形態によれば、上述のように、ブロワ３Ｕ、３Ｌの付属ファン３Ｕ３、３Ｌ３によって誘発される冷却用風は、ケース入口２１からケース２の内部に入った後、ブロワ３Ｕ、３Ｌの表面上を流れ、その後、箱体４から出る排気と同じ方向に流れながら箱体４から出る排気と合流して、ケース出口２２からケース２の外へ出るようにされている。このように、ブロワ３Ｕ、３Ｌの付属ファン３Ｕ３、３Ｌ３によって誘発される冷却用風が、箱体４から出る排気と同じ方向に流れながら箱体４から出る排気と合流して、ケース出口２２からケース２の外へ出ることにより、ケース２内における冷却用風の流れが促進される。これにより、ブロワ３Ｕ、３Ｌが収容されていることにより高温になりがちなケース２の内部を、効率的に冷却することができる。
【００２６】
図４及び図６に示すように、図の例において、箱体４の箱体出口４４は、ケース２のケース出口２２よりも上流側に位置している。
より具体的には、図の例において、ケース出口２２は、ケース２の底壁２７に形成されており、箱体出口４４は、ケース出口２２よりも上側に位置している。そして、ブロワ３Ｕ、３Ｌの吐出口３Ｕ２、３Ｌ２からの排気は、ダクト５１、５２の吐出側ダクト５１２、５２２を介して、箱体入口４３１、４３２から箱体４の内部に入って箱体出口４４から箱体４の外へ下向きに出た後、下向きに流れながら、ケース出口２２からケース２の外へ出るようにされている。また、ブロワ３Ｕ、３Ｌの付属ファン３Ｕ３、３Ｌ３によって誘発される冷却用風は、ケース入口２１からケース２の内部に入った後、ブロワ３Ｕ、３Ｌの表面上を流れ、その後、箱体４から出る排気と同じ方向（下向き）に流れながら、箱体４から出る排気と合流して、ケース出口２２からケース２の外へ出るようにされている。
このように、箱体出口４４がケース出口２２よりも上流側に位置していることにより、箱体出口４４からケース出口２２に至るまでにわたって、冷却用風と排気とが同じ方向に流れながら一緒に流れるため、仮に箱体出口４４とケース出口２２とが同じ位置に位置する場合に比べて、ケース２内における冷却用風の流れがさらに促進される。これにより、ケース２の内部をさらに効率的に冷却することができる。
ただし、箱体出口４４とケース出口２２とは、同じ位置に位置していてもよい。
【００２７】
ブロワユニット１は、ケース２の内部にブロワ収容室ＢＲを有している。図の例において、ブロワ収容室ＢＲは、後述の上流側縦壁７１と、一対の側壁２５と、上壁２６と、底壁２７と、後述の下流側縦壁７３とによって、区画されている。ブロワ３Ｕ、３Ｌは、ブロワ収容室ＢＲ内に配置されている。
【００２８】
図４に示すように、図の例において、ブロワユニット１は、ケース２の内部のブロワ収容室ＢＲの内部において上段室ＵＲと下段室ＬＲとの間を仕切る、横壁７４を、さらに備えている。上段室ＵＲは、下段室ＬＲの上側に位置する。
ブロワユニット１は、ブロワ３Ｕ、３Ｌとして、上段ブロワ３Ｕ及び下段ブロワ３Ｌを備えている。上段ブロワ３Ｕは、上段室ＵＲ内に配置されており、下段ブロワ３Ｌは、下段室ＬＲ内に配置されている。図の例において、上段ブロワ３Ｕは、横壁７４の上に設置されている。また、下段ブロワ３Ｌは、ケース２の底壁２７の上に設置されている。
このように、図の例において、ブロワユニット１は、ブロワ３Ｕ、３Ｌを２つ有しており、ブロワ収容室ＢＲは、これら２つのブロワ３Ｕ、３Ｌを上下方向に沿って配置できるように２段式に構成されている。
ただし、ブロワユニット１がブロワ３Ｕ、３Ｌを１つのみ有する場合、ブロワ収容室ＢＲは、１段式に構成される。その場合、ブロワユニット１は、横壁７４を備えない。また、ブロワユニット１がブロワ３Ｕ、３Ｌを３つ以上有する場合、ブロワ収容室ＢＲは、これら３つ以上のブロワ３Ｕ、３Ｌを上下方向に沿って配置できるように３段以上の多段式に構成される。その場合、ブロワユニット１は、横壁７４を複数備える。
なお、図の例のように、ブロワユニット１がブロワ３Ｕ、３Ｌを２つ以上有し、かつ、ブロワ収容室ＢＲが２段以上の多段式に構成される場合は、騒音が特に大きくなりやすく、また、ケース２内が特に高温になりやすくなる。よって、この場合、本明細書で説明するような騒音低減のための構成や冷却のための構成が、特に有利となる。
【００２９】
図４及び図５に示すように、ブロワユニット１は、ケース２の内部において制御機器室ＣＲとブロワ収容室ＢＲとの間を仕切る、上流側縦壁７１を、さらに備えている。上流側縦壁７１は、上下に延在している。
上流側縦壁７１よりも前側の空間は、制御機器室ＣＲである。制御機器室ＣＲは、上流側縦壁７１と、前壁２３と、一対の側壁２５と、上壁２６と、底壁２７とによって、区画されている。
図３〜図５に示すように、ブロワユニット１は、制御機器室ＣＲ内に配置され、ブロワ３Ｕ、３Ｌを制御するように構成された、１つ又は複数（図の例では、複数）の制御機器８を、さらに備えている。制御機器８は、例えば、インバーターやスイッチ機器等である。各制御機器８は、上流側縦壁７１の前面に取り付けられている。制御機器８は、発熱が大きくなる傾向がある。
ケース入口２１は、制御機器室ＣＲに連通している。
上流側縦壁７１よりも後側の空間は、ブロワ収容室ＢＲである。
上流側縦壁７１は、制御機器室ＣＲとブロワ収容室ＢＲとを連通する上流側縦壁穴７１ａを、１つ又は複数（図の例では２つ）、有している（図３及び図４）。具体的に、図の例において、上流側縦壁７１は、制御機器室ＣＲとブロワ収容室ＢＲの上段室ＵＲとを連通する上流側縦壁穴７１ａと、制御機器室ＣＲとブロワ収容室ＢＲの下段室ＬＲとを連通する上流側縦壁穴７１ａと、を有している。各上流側縦壁穴７１ａは、それぞれ、ブロワ３Ｕ、３Ｌの付属ファン３Ｕ３、３Ｌ３に対向するように配置されている（図４）。
図３〜図５に示すように、ブロワ３Ｕ、３Ｌの付属ファン３Ｕ３、３Ｌ３によって誘発される冷却用風（白抜き矢印）は、ケース入口２１から制御機器室ＣＲの内部に入った後、上流側縦壁穴７１ａを介してブロワ収容室ＢＲ（具体的に、図の例では、上段室ＵＲ及び下段室ＬＲ）内に入って、ブロワ３Ｕ、３Ｌの表面上を流れるようにされている。図の例においては、上段室ＵＲに連通する上流側縦壁穴７１ａを介して上段室ＵＲ内に入った冷却用風は、上段ブロワ３Ｕの表面上を流れるようにされており、また、下段室ＬＲに連通する上流側縦壁穴７１ａを介して下段室ＬＲ内に入った冷却用風は、下段ブロワ３Ｌの表面上を流れるようにされている。
これにより、ブロワ３Ｕ、３Ｌの付属ファン３Ｕ３、３Ｌ３によって誘発される冷却用風によって、制御機器８からの発熱によって高温になりがちな制御機器室ＣＲの内部を、効率的に冷却することができる。
また、上流側縦壁７１によって制御機器室ＣＲとブロワ収容室ＢＲとの間を仕切ることによって、ブロワ３Ｕ、３Ｌからの騒音が生じるブロワ収容室ＢＲとケース２の外部との間に制御機器室ＣＲが介在することとなり、制御機器室ＣＲ内の空気層が遮音性能を発揮できるので、ブロワ収容室ＢＲからの騒音がケース２の外部に漏れ出るのを抑制できる（すなわち、騒音を低減できる）。
ただし、ブロワユニット１は、上流側縦壁７１を備えていなくてもよい。その場合、制御機器室ＣＲとブロワ収容室ＢＲとは１つの部屋をなすこととなる。
【００３０】
図の例においては、図４及び図５に示すように、ブロワユニット１が、ブロワ収容室ＢＲ（具体的には、図の例において、上段室ＵＲ及び下段室ＬＲ）内に、案内管７２を、１つ又は複数（図の例では、２つ）、備えている。案内管７２は、案内管７２の中心軸線が前後方向に延在するように、指向されている。案内管７２は、案内管７２の中心穴が上流側縦壁穴７１ａと連通するように、上流側縦壁７１の後面に取り付けられている。案内管７２は、上流側縦壁穴７１ａごとに設けられている。案内管７２の一端（前端）は、上流側縦壁穴７１ａに対向している。案内管７２の他端（後端）は、ブロワ３Ｕ、３Ｌの付属ファン３Ｕ３、３Ｌ３に対向している。これにより、上流側縦壁穴７１ａを介して制御機器室ＣＲからブロワ収容室ＢＲ（具体的に、図の例では、上段室ＵＲ及び下段室ＬＲ）内に入った冷却用風が、よりスムーズに、ブロワ３Ｕ、３Ｌの付属ファン３Ｕ３、３Ｌ３に向かって流れることができる。これにより、ブロワ３Ｕ、３Ｌの付属ファン３Ｕ３、３Ｌ３によって誘発される冷却用風（白抜き矢印）の流れが、さらに促進される。よって、ケース２の内部をさらに効率的に冷却することができる。
ただし、案内管７２は、設けられなくてもよい。
【００３１】
図の例においては、図４及び図５に示すように、横壁７４は、上段室ＵＲと下段室ＬＲとを連通する横壁穴７４ａを、１つ又は複数（図の例では２つ）、有している。
図の例においては、図４において白抜き矢印で示すように、下段ブロワ３Ｌの付属ファン３Ｌ３によって誘発される冷却用風は、下段ブロワ３Ｌの表面上を流れた後、横壁穴７４ａを介して上段室ＵＲ内に入り、その後、上段ブロワ３Ｕの付属ファン３Ｕ３によって誘発される冷却用風と合流して、上段室ＵＲの外へ（図の例では、後述の排気室ＤＲへ）出て、その後、箱体４から出る排気（黒矢印）と同じ方向に流れながら箱体４から出る排気と合流するようにされている。
このように、下段ブロワ３Ｌの付属ファン３Ｌ３によって誘発される冷却用風が、下段ブロワ３Ｌの表面上を流れることによって温められた後、温められたことによって自然と上昇しやすくなった状態で、横壁穴７４ａを介して上昇して上段室ＵＲ内に流入することにより、ブロワ収容室ＢＲ内における冷却用風の流れがさらにスムーズになる。よって、ケース２の内部をさらに効率的に冷却することができる。
【００３２】
図の例においては、図４〜図６に示すように、ブロワユニット１は、ケース２の内部においてブロワ収容室ＢＲと排気室ＤＲとの間を仕切る、下流側縦壁７３を、さらに備えている。下流側縦壁７３は、上下に延在している。
下流側縦壁７３よりも前側の空間は、ブロワ収容室ＢＲである。
下流側縦壁７３よりも後側の空間は、排気室ＤＲである。排気室ＤＲは、下流側縦壁７３と、後壁２４と、一対の側壁２５と、上壁２６と、底壁２７とによって、区画されている。
下流側縦壁７３は、ブロワ収容室ＢＲと排気室ＤＲとを連通する下流側縦壁穴７３ａを、１つ又は複数（図の例では、１つ）、有している。
ケース２のケース出口２２は、排気室ＤＲに連通している。
箱体４は、排気室ＤＲ内に配置されている。
図の例においては、図４〜図６に示すように、ブロワ３Ｕ、３Ｌの付属ファン３Ｕ３、３Ｌ３によって誘発される冷却用風（白抜き矢印）は、ブロワ収容室ＢＲ内においてブロワ３Ｕ、３Ｌの表面上を流れた後、下流側縦壁穴７３ａを介して排気室ＤＲ内に入り、その後、ケース２の後壁２４によって案内されることで、箱体４から出る排気（黒矢印）と同じ方向（図の例では、下向き）に流れながら箱体４から出る排気と合流して、ケース出口２２からケース２の外へ出るようにされている。
下流側縦壁７３によってブロワ収容室ＢＲと排気室ＤＲとの間を仕切ることによって、ブロワ３Ｕ、３Ｌからの騒音が生じるブロワ収容室ＢＲとケース２の外部との間に排気室ＤＲが介在することとなり、排気室ＤＲ内の空気層が遮音性能を発揮できるので、ブロワ収容室ＢＲからの騒音がケース２の外部に漏れ出るのを抑制できる（すなわち、騒音を低減できる）。
また、ブロワ３Ｕ、３Ｌの吐出口３Ｕ２、３Ｌ２からの排気（黒矢印）を、直接排気室ＤＲ内に排出するのではなく、いったん箱体４内に排出するようにしているので、仮に箱体４を設けない場合に比べて、ケース２のうち排気室ＤＲを区画する部分（後壁２４や側壁２５）に排気が強く当たるのを抑制でき、ひいては、騒音や振動を低減できる。
【００３３】
図の例においては、図６に示すように、下流側縦壁７３の下流側縦壁穴７３ａは、ブロワ収容室ＢＲの上段室ＵＲと排気室ＤＲとを連通している。図の例において、下流側縦壁７３は、ブロワ収容室ＢＲの下段室ＬＲと排気室ＤＲとを連通する下流側縦壁穴７３ａを有していない。このような構成により、ブロワ収容室ＢＲ内でブロワ３Ｕ、３Ｌによって温められて自然と上昇しやすくなった冷却用風（白抜き矢印）が、さらにスムーズに、下流側縦壁穴７３ａを介して排気室ＤＲ内に入ることができる。よって、ケース２内における冷却用風の流れがさらにスムーズになり、ひいては、ケース２の内部をさらに効率的に冷却することができる。
また、図の例においては、図６に示すように、下流側縦壁７３の下流側縦壁穴７３ａは、上段室ＵＲにおける上部に連通するように設けられている。これにより、ブロワ収容室ＢＲ内でブロワ３Ｕ、３Ｌによって温められて自然と上昇しやすくなった冷却用風（白抜き矢印）が、さらにスムーズに、下流側縦壁穴７３ａを介して排気室ＤＲ内に入ることができる。よって、ケース２内における冷却用風の流れがさらにスムーズになり、ひいては、ケース２の内部をさらに効率的に冷却することができる。
ただし、ブロワユニット１は、下流側縦壁７３を備えていなくてもよい。その場合、ブロワ収容室ＢＲと排気室ＤＲとは１つの部屋をなすこととなる。
【００３４】
図の例においては、図４〜図６に示すように、ケース２のうち排気室ＤＲを区画する部分の内壁面に、吸音材６１が貼られている。より具体的に、図の例では、ケース２の後壁２４の内壁面と、ケース２の側壁２５（より具体的には、右側の側壁２５）の内壁面とに、吸音材６１が貼られている。これにより、排気室ＤＲ内の騒音をより効果的に低減できる。
吸音材６１は、例えば、グラスウールから構成される。
ただし、ケース２のうち排気室ＤＲを区画する部分の内壁面には、吸音材６１が貼られていなくてもよい。
【００３５】
なお、図１〜図８に示す実施形態において、ブロワユニット１は、ケース２の内部に、ブロワ３Ｕ、３Ｌの付属ファン３Ｕ３、３Ｌ３以外に、ファンを備えていない。本実施形態によれば、別途ファンを備えていなくても、ブロワ３Ｕ、３Ｌの付属ファン３Ｕ３、３Ｌ３によって誘発される冷却用風のみによって、十分効果的に、ケース２の内部を冷却することが可能である。
ただし、ブロワユニット１は、図９〜図１０に示す変形例のように、ケース２の内部に、ブロワ３Ｕ、３Ｌの付属ファン３Ｕ３、３Ｌ３とは別に、ファン９を備えていてもよい。この場合、さらに効果的にケース２の内部を冷却することが可能である。図９〜図１０の例では、ファン９が、排気室ＤＲ内に配置されている。ただし、ファン９は、ケース２の内部の任意の位置に配置されてよい。
【００３６】
本明細書で説明する各例においては、図９〜図１０に示す変形例のように、ブロワユニット１が、温度スイッチ１０を備えていてもよい。温度スイッチ１０は、ケース２の内部の温度を監視し、ケース２の内部の温度が所定温度を超えると、ブロワ３Ｕ、３Ｌを停止させるように構成される。
温度スイッチ１０が設けられることにより、例えば付属ファン３Ｕ３、３Ｌ３又はファン９が故障した場合等に、ケース２の内部の温度、ひいては、ケース２の外表面の温度が、過度に高まるのを、抑制することができる。それにより、例えば、人がケース２の外表面に触れたときに過度に熱く感じるのを抑制できる。
温度スイッチ１０は、ケース２の内部における任意の位置に配置されてよい。例えば、温度スイッチ１０は、図９〜図１０の例のように、排気室ＤＲ内に配置されて、排気室ＤＲ内の温度を監視するようにされると、好適である。図９〜図１０の例では、温度スイッチ１０は、排気室ＤＲ内において、下流側縦壁穴７３ａと同じ高さの位置に、下流側縦壁７３に取り付けられている。
【００３７】
つぎに、箱体４について、さらに詳しく説明する。
図４〜図８に示すように、箱体４は、上述のとおり、箱型に構成されている。図の例において、箱体４は、箱体用カバー４１と、箱体用カバー４１とは別体の第６壁部４２と、から構成されている。箱体用カバー４１は、下流側縦壁７３に取り付けられている。第６壁部４２は、下流側縦壁７３のうち箱体用カバー４１と対向する部分によって構成されている。箱体用カバー４１は、一方側の面（図の例では、前面）が開放された箱型に構成されている。図７及び図８に示すように、箱体用カバー４１は、第１壁部４１ａと、第１壁部４１ａに対向する第２壁部４１ｂと、第１壁部４１ａ及び第２壁部４１ｂどうしを連結する第３壁部４１ｃと、第１壁部４１ａ及び第２壁部４１ｂどうしを連結するとともに第３壁部４１ｃに対向する第４壁部４１ｄと、第５壁部４１ｅとを、有している。第５壁部４１ｅは、第１壁部４１ａ、第２壁部４１ｂ、第３壁部４１ｃ、及び第４壁部４１ｄどうしを連結している。箱体用カバー４１は、第５壁部４１ｅと反対側の面が、開放されている。第５壁部４１ｅは、第６壁部４２に対向している。すなわち、箱体用カバー４１の開放面は、第６壁部４２によって塞がれている。
図の例において、第１壁部４１ａは左側を向いた外壁面を有する左壁部をなしており、第２壁部４１ｂは右側を向いた外壁面を有する右壁部をなしており、第３壁部４１ｃは下側を向いた外壁面を有する下壁部をなしており、第４壁部４１ｄは上側を向いた外壁面を有する上壁部をなしており、第５壁部４１ｅは後側を向いた外壁面を有する後壁部をなしており、第６壁部４２は前側を向いた外壁面を有する前壁部をなしている。
【００３８】
箱体用カバー４１は、第１壁部４１ａ、第２壁部４１ｂ、及び第４壁部４１ｄのそれぞれにおける第６壁部４２側の端部に連結された、フランジ４１ｆを、さらに有している。各フランジ４１ｆは、第６壁部４２に取り付けられている。
【００３９】
第１壁部４１ａと第２壁部４１ｂと第３壁部４１ｃと第４壁部４１ｄと第５壁部４１ｅと第６壁部４２とは、箱体本体部４Ｍを構成している。
図の例において、箱体本体部４Ｍは、各角部が角張った略直方体をなしているが、これに限られず、箱体本体部４Ｍは、任意の形状を有してよく、例えば、一部又は全部の角部が丸くされた（アール付けされた）略直方体をなしてもよい。
【００４０】
第１壁部４１ａには、貫通穴４１ａｈが形成されている。箱体用カバー４１は、第１壁部４１ａの外壁面（図の例では、左面）に連結された第１筒４１ｇを有している。第１筒４１ｇの一端は、第１壁部４１ａの貫通穴４１ａｈに対向しており、それにより、第１筒４１ｇの中心穴は、第１壁部４１ａの貫通穴４１ａｈに連通している。第１筒４１ｇの他端は、箱体４の第１箱体入口４３１を構成している。第１箱体入口４３１は、第１ダクト５１の吐出側ダクト５１２の流出口５１２ｂと連結されている。なお、箱体４（具体的には、図の例において、箱体用カバー４１）は、第１筒４１ｇを有さなくてもよく、その場合、第１壁部４１ａの貫通穴４１ａｈが第１箱体入口４３１を構成してもよい。
第３壁部４１ｃには、貫通穴４１ｃｈが形成されている。箱体用カバー４１は、第３壁部４１ｃの外壁面（図の例では、下面）に連結された第２筒４１ｈを有している。第２筒４１ｈの一端は、第３壁部４１ｃの貫通穴４１ｃｈに対向しており、それにより、第２筒４１ｈの中心穴は、第３壁部４１ｃの貫通穴４１ｃｈに連通している。第２筒４１ｈの他端は、箱体４の第２箱体入口４３２を構成している。第２箱体入口４３２は、第２ダクト５２の吐出側ダクト５２２の流出口５２２ｂと連結されている。なお、箱体４（具体的には、図の例において、箱体用カバー４１）は、第２筒４１ｈを有さなくてもよく、その場合、第３壁部４１ｃの貫通穴４１ｃｈが第２箱体入口４３２を構成してもよい。
また、第３壁部４１ｃには、箱体４の箱体出口４４が形成されている。箱体出口４４は、第３壁部４１ｃに形成された貫通穴によって構成されている。ただし、箱体４（具体的には、図の例において、箱体用カバー４１）は、第３壁部４１ｃの外壁面に、当該貫通穴に連通する中心穴を有する筒が連結されていてもよく、その場合、当該筒における当該貫通穴とは反対側の端が、箱体出口４４を構成してもよい。
なお、第６壁部４２は、箱体用カバー４１に備えられていてもよく、それにより、箱体４は、１つの部品から構成されてもよい。
【００４１】
図８に示すように、図の例において、箱体４の内壁面には、吸音材６２が貼られている。
吸音材６２は、例えば、グラスウールから構成される。
図の例において、吸音材６２は、箱体４の第２壁部４１ｂ、第４壁部４１ｄ、及び第５壁部ｅのそれぞれの内壁面に、貼られている。
箱体４の内壁面に吸音材６２が貼られていることにより、箱体４の内部に入った排気（黒矢印）による騒音を効果的に低減できる。
ただし、箱体４の内壁面には、吸音材６２が貼られていなくてもよい。
【００４２】
図８に示すように、図の例においては、第１箱体入口４３１の中心軸線Ｏ１と第２箱体入口４３２の中心軸線Ｏ２とは、互いに垂直に延在している。より具体的に、図の例において、第１箱体入口４３１の中心軸線Ｏ１は、左右方向に延在しており、第２箱体入口４３２の中心軸線Ｏ２は、上下方向に延在している。第１箱体入口４３１の中心軸線Ｏ１と第１壁部４１ａの貫通穴４１ａｈの中心軸線とは、一致する。また、第２箱体入口４３２の中心軸線Ｏ２と第３壁部４１ｃの貫通穴４１ｃｈの中心軸線とは、一致する。そして、第１箱体入口４３１から箱体４の内部に入る排気と第２箱体入口４３２から箱体４の内部に入る排気とが、互いに垂直に流れながら合流するようにされている。第１箱体入口４３１及び第２箱体入口４３２からそれぞれ箱体４の内部に入った各排気は、互いに垂直に流れながら合流した後、箱体出口４４から箱体４の外へ出るようにされている。
第１箱体入口４３１から箱体４の内部に入る排気と第２箱体入口４３２から箱体４の内部に入る排気とが互いに垂直に流れながら合流するようにされていることにより、合流した際に各排気の流速がいったん低下し、その後、各排気が、一緒になって、よりスムーズに箱体４の内壁面に沿って流れながら、吸音材６２によって効果的に吸音される。これにより、例えば仮に第１箱体入口４３１から箱体４の内部に入る排気と第２箱体入口４３２から箱体４の内部に入る排気とが互いに同じ方向に向かって平行に流れるようにされている場合に比べて、各排気が箱体４の内壁面に強く当たるのを抑制でき、また、箱体４の内部に生じる渦や圧力変動を小さくでき、また、排気をよりしっかりと吸音材６２によって吸音できるので、箱体４に生じる騒音や振動をより効果的に低減することができる。
なお、第１箱体入口４３１の中心軸線Ｏ１（延長線を含む）と第２箱体入口４３２の中心軸線Ｏ２（延長線を含む）とは、交わっている（直交している）と好適である。ただし、第１箱体入口４３１から箱体４の内部に入る排気と第２箱体入口４３２から箱体４の内部に入る排気とが、互いに垂直に流れながら合流するようにされている限り、第１箱体入口４３１の中心軸線Ｏ１と第２箱体入口４３２の中心軸線Ｏ２とは、交わっていなくてもよく、互いから少しずれた位置にあってもよい。
【００４３】
図８に示すように、図の例においては、箱体出口４４の中心軸線Ｏ３（延長線を含む）が、第２箱体入口４３２の中心軸線Ｏ２と平行である。また、第２箱体入口４３２の中心軸線Ｏ２は、箱体出口４４の中心軸線Ｏ３よりも、第１壁部４１ａの近くに位置している。このような構成により、第１箱体入口４３１及び第２箱体入口４３２からそれぞれ箱体４の内部に入った各排気は、互いに垂直に流れながら合流し、その際に各排気の流速がいったん低下し、その後、各排気は、一緒になって、スムーズに、第４壁部４１ｄに沿って第２壁部４１ｂに向かって（図の例では、右向きに）流れた後、第２壁部４１ｂに沿って第３壁部４１ｃの箱体出口４４に向かって（図の例では、下向きに）流れ、その後、箱体出口４４から箱体４の外へ出ることとなる。このようにして、第１箱体入口４３１及び第２箱体入口４３２からそれぞれ箱体４の内部に入った各排気は、よりスムーズに箱体４の内壁面に沿って流れながら、吸音材６２によって効果的に吸音される。これにより各排気が箱体４の内壁面に強く当たるのを抑制でき、また、箱体４の内部に生じる渦や圧力変動を小さくでき、また、排気をよりしっかりと吸音材６２によって吸音できるので、箱体４に生じる騒音や振動をより効果的に低減することができる。
また、図の例においては、第１箱体入口４３１に連通する第１壁部４１ａの貫通穴４１ａｈは、第１壁部４１ａにおいて、第３壁部４１ｃよりも第４壁部４１ｄのほうに近くに位置している。これにより、第１箱体入口４３１及び第２箱体入口４３２からそれぞれ箱体４の内部に入った各排気は、互いに垂直に流れながら合流した後、第４壁部４１ｄにさらに近接して流れることができる。よって、箱体４の内部に生じる渦や圧力変動をより小さくでき、また、排気をよりしっかりと吸音材６２によって吸音できるので、箱体４に生じる騒音や振動をより効果的に低減することができる。
【００４４】
上述した箱体４は、上述したような２つのブロワ３Ｕ、３Ｌを備えたブロワユニット１に特に好適に利用できるものである。
ただし、上述した箱体４は、第１ダクト及び第２ダクトを備えて第１ダクト及び第２ダクトのそれぞれから排気を生じるような、任意の装置に利用できるものである。その場合、当該装置の第１ダクトの流出口が第１箱体入口４３１に連結され、当該装置の第２ダクトの流出口が第２箱体入口４３２に連結される。そして、第１箱体入口４３１から箱体４の内部に入る排気と第２箱体入口４３２から箱体４の内部に入る排気とが、上述のようにして箱体４の内部を流れた後、箱体出口４４を介して箱体４の外へ出るようにされる。このような場合でも、箱体４によれば、騒音や振動を効果的に低減することができる。
なお、箱体４は、任意の向きに指向されてよい。例えば、箱体４は、第３壁部４１ｃの外壁面が上側を向くように指向されてもよい。
【産業上の利用可能性】
【００４５】
本発明のブロワユニットは、ブロワを用いる任意のシステムに利用できるものであり、ブロワを空気の吸引のために用いる任意のシステム（例えば、クリーンルーム等の部屋内の空気を部屋の外に排出するシステム、あるいは、工作機械等の装置内の空気を装置の外に排出するシステム）に特に好適に利用できるものである。
本発明の箱体は、第１ダクト及び第２ダクトを備えて第１ダクト及び第２ダクトのそれぞれから排気を生じるような、任意の装置に利用できるものであり、２つのブロワを備えたブロワユニットに特に好適に利用できるものである。
【符号の説明】
【００４６】
１  ブロワユニット
２  ケース
２１  ケース入口
２２  ケース出口
２３  前壁
２４  後壁
２５  側壁
２６  上壁
２７  底壁
２８  脚部
３Ｕ  上段ブロワ（ブロワ）
３Ｕ１  吸込口
３Ｕ２  吐出口
３Ｕ３  付属ファン
３Ｌ  下段ブロワ（ブロワ）
３Ｌ１  吸込口
３Ｌ２  吐出口
３Ｌ３  付属ファン
４  箱体
４Ｍ  箱体本体部
４１  箱体用カバー
４１ａ  第１壁部
４１ａｈ  貫通穴
４１ｂ  第２壁部
４１ｃ  第３壁部
４１ｃｈ  貫通穴
４１ｄ  第４壁部
４１ｅ  第５壁部
４１ｆ  フランジ
４１ｇ  第１筒
４１ｈ  第２筒
４２  第６壁部
４３１  第１箱体入口（箱体入口）
４３２  第２箱体入口（箱体入口）
４４  箱体出口
Ｏ１  第１箱体入口の中心軸線
Ｏ２  第２箱体入口の中心軸線
Ｏ３  箱体出口の中心軸線
５１  第１ダクト（ダクト）
５１１  吸込側ダクト
５１１ａ  流入口
５１１ｂ  流出口
５１２  吐出側ダクト
５１２ａ  流入口
５１２ｂ  流出口
５２  第２ダクト（ダクト）
５２１  吸込側ダクト
５２１ａ  流入口
５２１ｂ  流出口
５２２  吐出側ダクト
５２２ａ  流入口
５２２ｂ  流出口
６１、６２  吸音材
７１  上流側縦壁
７１ａ  上流側縦壁穴
７２  案内管
７３  下流側縦壁
７３ａ  下流側縦壁穴
７４  横壁
７４ａ  横壁穴
８  制御機器
９  ファン
１０  温度スイッチ
ＣＲ  制御機器室
ＢＲ  ブロワ収容室
ＵＲ  上段室
ＬＲ  下段室
ＤＲ  排気室
【要約】
【課題】ケースの内部を効率的に冷却できる、ブロワユニット及び箱体を、提供する。
【解決手段】本発明のブロワユニットは、箱型のケースと、ケースの内部に収容された、ブロワと、ケースの内部に収容された、箱型の箱体と、を備えた、ブロワユニットであって、ケースは、ケース入口及びケース出口を有しており、ブロワは、吸込口、吐出口、及び付属ファンを有しており、箱体は、箱体入口及び箱体出口を有しており、ブロワの吐出口からの排気は、ダクトを介して、箱体入口から箱体の内部に入って箱体出口から箱体の外へ出た後、ケース出口からケースの外へ出るようにされており、付属ファンによって誘発される冷却用風は、ケース入口からケースの内部に入った後、ブロワの表面上を流れ、その後、箱体から出る排気と同じ方向に流れながら箱体から出る排気と合流して、ケース出口からケースの外へ出るようにされている。
【選択図】図４【図１】
0006985759.tif 000002
【図２】
0006985759.tif 000003
【図３】
0006985759.tif 000004
【図４】
0006985759.tif 000005
【図５】
0006985759.tif 000006
【図６】
0006985759.tif 000007
【図７】
0006985759.tif 000008
【図８】
0006985759.tif 000009
【図９】
0006985759.tif 000010
【図１０】
0006985759.tif 000011